(57)【要約】【課題】動作モードの切換時においてコンテンツが再生される時間を確保し、ストレス軽減効果（待ち時間に起因するストレスを軽減させる効果）を向上させる。【解決手段】制御部１０５は、撮像モードへの切換を検知すると、外部メモリ２に格納されたコンテンツデータＤｃが再生部１０３に供給されるように外部メモリ制御部１０２を制御し、コンテンツデータＤｃを再生部１０３に再生させる。コンテンツデータＤｃを再生するために必要なコンテンツ再生時間（例えば、コンテンツを視認または聴認できる程度の時間）が経過すると、制御部１０５は、再生部１０３にコンテンツデータＤｃの再生を中断させて、再生部１０３に前処理部１０１からのデジタル撮像データＤｄを再生させる。【選択図】図２
2009065330.tif 000002
【特許請求の範囲】
【請求項１】
複数の動作モードを選択的に切換可能な回路であって、
動作モードの切換時に再生すべきコンテンツデータを格納する格納部と、
前記複数の動作モードの各々において再生すべきデータおよび前記格納部に格納されたコンテンツデータを再生するための再生部と、
動作モードの切換を検知すると、前記コンテンツデータを再生するために必要なコンテンツ再生時間が経過するまでの間、前記コンテンツデータを前記再生部に再生させ、前記コンテンツ再生時間の経過後に、切換後の動作モードにおいて再生すべき所定データを前記再生部に再生させる制御部とを備える
ことを特徴とするデータ処理回路。
【請求項２】
請求項１において、
前記コンテンツ再生時間は、前記動作モードの切換が完了するまでの時間よりも長い
ことを特徴とするデータ処理回路。
【請求項３】
請求項１において、
前記制御部は、前記動作モードの切換が完了するまでの時間よりも前記コンテンツ再生時間が短い場合には、前記コンテンツ再生時間を延長する
ことを特徴とするデータ処理回路。
【請求項４】
請求項１，２，３のいずれか１項において、
前記制御部は、前記動作モードの切換が完了した後に外部から再生指示を受けると、前記コンテンツ再生時間が経過する前であっても、前記再生部に前記コンテンツデータの再生を中断させて前記所定データを再生させる
ことを特徴とするデータ処理回路。
【請求項５】
請求項１〜４のいずれか１項において、
前記格納部に格納されたコンテンツデータのデータサイズに基づいて、前記コンテンツ再生時間を設定する設定部をさらに備える
ことを特徴とするデータ処理回路。
【請求項６】
請求項５において、
前記データサイズは、前記コンテンツデータのファイルサイズ，符号サイズ，単位時間当たりに再生される符号サイズ，および画角サイズのうちいずれか１つである
ことを特徴とするデータ処理回路。
【請求項７】
請求項１〜４のいずれか１項において、
前記格納部に格納されたコンテンツデータの複雑度に基づいて、前記コンテンツ再生時間を設定する設定部をさらに備える
ことを特徴とするデータ処理回路。
【請求項８】
請求項１〜４のいずれか１項において、
当該データ処理回路に電力を供給する電源の残量に基づいて、前記コンテンツ再生時間を設定する設定部をさらに備える
ことを特徴とするデータ処理回路。
【請求項９】
請求項１〜４のいずれか１項において、
前記コンテンツデータのヘッダに示された再生時間に基づいて、前記コンテンツ再生時間を設定する設定部をさらに備える
ことを特徴とするデータ処理回路。
【請求項１０】
請求項１〜４のいずれか１項において、
前記格納部は、複数のコンテンツデータを格納し、
前記制御部は、前記コンテンツ再生時間が経過するまでの間、前記格納部に格納された複数のコンテンツデータのうちいずれか１つを前記再生部に再生させる
ことを特徴とするデータ処理回路。
【請求項１１】
請求項１０において、
前記格納部に格納された複数のコンテンツデータの各々について当該コンテンツデータを再生するために必要な再生時間を算出し、算出した複数の再生時間のうち最長の再生時間を前記コンテンツ再生時間として設定する設定部をさらに備える
ことを特徴とするデータ処理回路。
【請求項１２】
請求項１０において、
前記格納部に格納された複数のコンテンツデータの各々について当該コンテンツデータを再生するために必要な再生時間を算出し、算出した複数の再生時間のうち最短の再生時間を前記コンテンツ再生時間として設定する設定部をさらに備える
ことを特徴とするデータ処理回路。
【請求項１３】
請求項１０において、
前記格納部に格納された複数のコンテンツデータの各々について当該コンテンツデータを再生するために必要な再生時間を算出し、算出した複数の再生時間に対して重み付け加算を実行し、その結果を前記コンテンツ再生時間として設定する設定部をさらに備える
ことを特徴とするデータ処理回路。
【請求項１４】
請求項１〜４のいずれか１項において、
ユーザの嗜好に基づいて設定されたテンプレートデータと前記格納部に格納されたコンテンツデータとの類似度を求める比較部と、
前記比較部によって求められた類似度に基づいて、前記コンテンツ再生時間を設定する設定部とをさらに備える
ことを特徴とするデータ処理回路。
【請求項１５】
請求項１〜４のいずれか１項において、
前記コンテンツ再生時間は、外部から設定可能である
ことを特徴とするデータ処理回路。
【請求項１６】
請求項１〜１５のいずれか１項において、
前記再生部は、前記コンテンツデータを再生するための第１の再生部と、前記所定データを再生するための第２の再生部とを含み、
前記制御部は、前記コンテンツ再生時間が経過するまでの間、前記コンテンツデータを前記第１の再生部に再生させる一方、前記コンテンツ再生時間の経過後では、前記所定データを前記第２の再生部に再生させる
ことを特徴とするデータ処理回路。
【請求項１７】
請求項１〜１５のいずれか１項において、
前記再生部は、前記コンテンツデータを再生するための第１の再生部と、前記所定データを再生するための第２の再生部とを含み、
前記制御部は、前記コンテンツ再生時間が経過するまでの間、前記コンテンツデータを前記第１の再生部に再生させる一方、前記コンテンツ再生時間が経過する前であっても前記動作モードの切換が完了すると、前記所定データを前記第２の再生部に再生させる
ことを特徴とするデータ処理回路。
【請求項１８】
請求項１〜１７のいずれか１項において、
前記コンテンツデータは、映像データ，音声データ，および文字データのいずれか１つである
ことを特徴とするデータ処理回路。
【請求項１９】
請求項１〜１８のいずれか１項において、
前記格納部は、当該データ処理回路に着脱可能な外部メモリである
ことを特徴とするデータ処理回路。
【請求項２０】
請求項１〜１８のいずれか１項において、
前記格納部は、当該データ処理回路に内蔵される内部メモリである
ことを特徴とするデータ処理回路。
【請求項２１】
複数の動作モードを選択的に切換可能な装置であって、
動作モードの切換時に再生すべきコンテンツデータを格納する格納部と、
前記動作モードの各々において再生すべきデータおよび前記格納部に格納されたコンテンツデータを再生するための再生部と、
動作モードの切換を検知すると、前記コンテンツデータを再生するために必要なコンテンツ再生時間が経過するまでの間、前記コンテンツデータを前記再生部に再生させ、前記コンテンツ再生時間の経過後に、切換後の動作モードにおいて再生すべき所定データを前記再生部に再生させる制御部とを備える
ことを特徴とする半導体装置。
【請求項２２】
撮像モードを含む複数の動作モードを選択的に切換可能な撮像装置であって、
前記撮像モードにおいて被写体の映像を電気信号に変換しその電気信号から撮像データを生成する撮像処理部と、
前記撮像モードへの切換時に再生すべきコンテンツデータを格納する格納部と、
前記撮像モードへの切換を検知すると、前記コンテンツデータを再生するために必要なコンテンツ再生時間が経過するまでの間、前記コンテンツデータを再生し、前記コンテンツ再生時間の経過後に、前記撮像処理部からの撮像データを前記再生部に再生するデータ処理部とを備える
ことを特徴とする撮像装置。
【請求項２３】
複数の動作モードを有するデータ処理装置を制御する方法であって、
前記データ処理装置の動作モードを切り換えるステップ（ａ）と、
前記ステップ（ａ）において動作モードが切り換えられた後、予め定められたコンテンツデータを前記データ処理装置に再生させ、当該コンテンツデータを再生するために必要なコンテンツ再生時間が経過するまで前記データ処理装置にコンテンツデータの再生を継続させるステップ（ｂ）と、
前記コンテンツ再生時間の経過後、切換後の動作モードにおいて再生すべきデータを前記データ処理装置に再生させるステップ（ｃ）とを備える
ことを特徴とするデータ処理装置の制御方法。
【発明の詳細な説明】
【技術分野】
【０００１】
本発明は、複数の動作モードを選択的に切換可能なデータ処理回路，半導体装置，撮像装置に関し、さらに詳しくは、動作モードの切換時に任意の画像または任意の音声を再生させる技術に関する。
【背景技術】
【０００２】
デジタルカメラ等の電子機器では、動作モードを切り換えるために種々の処理（例えば、設定の初期化や変更等）を実行する必要があるので、動作モードを切り換えた際、動作可能な状態になるまでに待ち時間が生じてしまう。そのため、ユーザは、迅速に処理を進行させることができず、ストレスを感じてしまう。
【０００３】
そのような問題に対処すべく、最近では、電源投入時に任意の画像が表示されるという機能を有するデジタルカメラが登場している。このような機能を搭載したデジタルカメラでは、そのデジタルカメラに搭載されているメモリに画像データが予め保持されており、電源が投入される毎に画像データが再生されることで、デジタルカメラが起動する（撮像可能な状態になる）までの間、任意の画像が表示画面に表示される。このように、表示画面に任意の画像が表示されることで、起動に必要な待ち時間をストレス無く待つことができる。
【０００４】
また、このような電源投入時の待ち時間によるストレスを軽減するために、デジタルカメラの起動を高速化することで、起動のための待ち時間を短縮する技術が知られている。例えば、特許文献１には、予め保持されている撮影条件を起動時に読み出すことで、撮影のための起動時間を短縮させる技術が開示されている。
【特許文献１】特開２００２−２３７９７７号公報
【発明の開示】
【発明が解決しようとする課題】
【０００５】
しかしながら、従来では、動作モードの切換が完了するとすぐに表示画面から画像が消去される。そのため、動作モードの切換を高速化することにより待ち時間を短縮することができるが、表示画面に画像が表示されている時間も短くなってしまう。このように、機能を追加するために費やされているコストに対して、画像の表示によるストレス軽減効果（待ち時間に起因するストレスを軽減させる効果）をユーザが十分に享受することが困難であった。例えば、画像の表示時間が非常に短い場合、ユーザが画像を視認することができないまま、その画像が消去されてしまう。
【０００６】
そこで、この発明は、動作モードの切換時において画像や音声等のコンテンツを再生するのに必要な時間を確保することにより、ストレス軽減効果を従来よりも向上させることを目的とする。
【課題を解決するための手段】
【０００７】
この発明の１つの局面に従うと、データ処理回路は、複数の動作モードを選択的に切換可能な回路であって、動作モードの切換時に再生すべきコンテンツデータを格納する格納部と、上記複数の動作モードの各々において再生すべきデータおよび上記格納部に格納されたコンテンツデータを再生するための再生部と、動作モードの切換を検知すると、上記コンテンツデータを再生するために必要なコンテンツ再生時間が経過するまでの間、上記コンテンツデータを上記再生部に再生させ、上記コンテンツ再生時間の経過後に、切換後の動作モードにおいて再生すべき所定データを上記再生部に再生させる制御部とを備える。
【０００８】
上記データ処理回路では、コンテンツデータの再生時間が確保されているので、動作モードの切換時にコンテンツデータを適切に再生することができる。例えば、コンテンツデータの再生時間を、コンテンツデータに示されたコンテンツ（例えば、映像，音声等）をユーザが視認または聴認できる程度の長さに設定することが可能となる。これにより、コンテンツデータの再生によるストレス軽減効果を従来よりも向上させることができる。
【０００９】
なお、上記コンテンツ再生時間は、上記動作モードの切換が完了するまでの時間よりも長いことが好ましい。または、上記制御部は、上記コンテンツ再生時間が上記動作モードの切換が完了するまでの時間よりも短い場合には、上記コンテンツ再生時間を延長することが好ましい。このようにすれば、コンテンツを従来よりも長く再生することができ、従来よりも、ストレス軽減効果を向上させることが可能となる。
【００１０】
また、上記データ処理回路が、上記格納部に格納されたコンテンツデータのデータサイズ（例えば、コンテンツデータのファイルサイズ，符号サイズ，単位時間当たりに再生される符号サイズ，および画角サイズ等）や、コンテンツデータの複雑度や、データ処理回路に電力を供給する電源の残量や、コンテンツデータのヘッダに示された再生時間に基づいて、上記コンテンツ再生時間を設定する設定部をさらに備えていても良い。
【００１１】
また、上記コンテンツ再生時間は、外部から設定可能であっても良い。
【００１２】
この発明の別の局面に従うと、半導体装置は、複数の動作モードを選択的に切換可能な装置であって、動作モードの切換時に再生すべきコンテンツデータを格納する格納部と、上記動作モードの各々において再生すべきデータおよび上記格納部に格納されたコンテンツデータを再生するための再生部と、動作モードの切換を検知すると、上記コンテンツデータを再生するために必要なコンテンツ再生時間が経過するまでの間、上記コンテンツデータを上記再生部に再生させ、上記コンテンツ再生時間の経過後に、切換後の動作モードにおいて再生すべきデータを上記再生部に再生させる制御部とを備える。
【００１３】
上記半導体装置では、コンテンツデータの再生時間が確保されているので、コンテンツデータの再生によるストレス軽減効果を従来よりも向上させることができる。
【００１４】
また、この発明の別の局面に従うと、撮像装置は、撮像モードを含む複数の動作モードを選択的に切換可能な撮像装置であって、上記撮像モードにおいて被写体の映像を電気信号に変換しその電気信号から撮像データを生成する撮像処理部と、上記撮像モードへの切換時に再生すべきコンテンツデータを格納する格納部と、上記撮像モードへの切換を検知すると、上記コンテンツデータを再生するために必要なコンテンツ再生時間が経過するまでの間、上記コンテンツデータを再生し、上記コンテンツ再生時間の経過後に、上記撮像処理部からの撮像データを上記再生部に再生するデータ処理部とを備える。
【００１５】
上記撮像装置では、コンテンツデータの再生時間が確保されているので、コンテンツデータの再生によるストレス軽減効果を従来よりも向上させることができる。
【００１６】
さらに、この発明の別の局面に従うと、データ処理装置の制御方法は、複数の動作モードを有するデータ処理装置を制御する方法であって、上記データ処理装置の動作モードを切り換えるステップ（ａ）と、上記ステップ（ａ）において動作モードが切り換えられた後、予め定められたコンテンツデータを上記データ処理装置に再生させ、当該コンテンツデータを再生するために必要なコンテンツ再生時間が経過するまで上記データ処理装置にコンテンツデータの再生を継続させるステップ（ｂ）と、上記コンテンツ再生時間の経過後、切換後の動作モードにおいて再生すべきデータを上記データ処理装置に再生させるステップ（ｃ）とを備える。
【００１７】
上記データ処理装置の制御方法では、コンテンツデータの再生時間が確保されているので、コンテンツデータの再生によるストレス軽減効果を従来よりも向上させることができる。
【発明の効果】
【００１８】
以上のように、コンテンツデータの再生時間が確保されているので、コンテンツデータの再生によるストレス軽減効果を従来よりも向上させることができる。
【発明を実施するための最良の形態】
【００１９】
以下、この発明の実施の形態を図面を参照して詳しく説明する。なお、図中同一または相当部分には同一の符号を付しその説明は繰り返さない。
【００２０】
（実施形態１）
図１は、この発明の実施形態１による撮像装置１の構成を示す。この撮像装置１は、被写体をモニタリングし撮影する撮像モードや、外部メモリ２（例えば、メモリカード）に格納された画像を再生するプレビューモード等、複数の動作モードを選択的に実行する。さらに、この撮像装置１では、動作モードの切換時に、予め設定されたコンテンツ（映像や音声等）が再生される。外部メモリ２には、このコンテンツを示すコンテンツデータ（ここでは、静止画像データであるものとする）が格納されている。
【００２１】
撮像装置１は、システムコントローラ１０と、撮像回路１１と、アナログ信号処理回路１２と、Ａ／Ｄ変換回路１３と、デジタル信号処理回路１４（データ処理回路）と、表示回路１５とを備える。
【００２２】
撮像回路１１は、被写体を撮像してアナログ撮像信号を生成する回路であり、例えば、光学レンズ１１ａ，ＩＲカットフィルタ１１ｂ，イメージセンサ１１ｃ，ドライブ回路１１ｄから構成される。光学レンズ１１ａは、被写体からの入射光をイメージセンサ１１ｃ上に結像させる。ＩＲカットフィルタ１１ｂは、イメージセンサ１１ｃに入射する光の長波長成分を除去する。イメージセンサ１１ｃは、いわゆる単板式のＣＣＤ（Charge Coupled Device）イメージセンサであって、２次元状に配置された光電変換素子のそれぞれに入射光を濾光する色フィルタが設けられている。イメージセンサ１１ｃは、ドライブ回路１１ｄからの駆動信号に応じて電荷を読み出し、アナログ撮像信号を出力する。
【００２３】
アナログ信号処理回路１２は、撮像回路１１からのアナログ撮像信号に対して相関二重サンプリングや信号増幅などの処理を施す。
【００２４】
Ａ／Ｄ変換回路１３は、アナログ信号処理回路４によって処理されたアナログ撮像信号をデジタル撮像データに変換する。
【００２５】
デジタル信号処理回路１４は、Ａ／Ｄ変換回路１３からのデジタル撮像データに対してデジタル処理を施し、処理済みのデジタル撮像データを外部メモリ２に書き込む。また、デジタル信号処理回路１４は、処理済みのデジタル撮像データまたは外部メモリ２に格納されたデジタル撮像データを再生する（例えば、デジタル撮像データを復号化する）。
【００２６】
表示回路１５は、デジタル信号処理回路１４によって再生されたデジタル撮像データを受け、画像を表示する。
【００２７】
システムコントローラ１０は、ユーザからの指示に応答して動作モードを選択し、選択した動作モードに基づいて撮像装置１の各部を制御する。例えば、システムコントローラ１０によって「撮像モード」が選択されると、撮像回路１１，アナログ信号処理回路１２，およびＡ／Ｄ変換回路１３は、撮像のための準備（例えば、初期化等）を実行した後、撮像可能状態になる。また、システムコントローラ１０によって「プレビューモード」が選択されると、デジタル信号処理回路１４は、プレビュー表示のための準備を実行した後、プレビュー再生状態になる。
【００２８】
図２は、図１に示したデジタル信号処理回路１４の構成を示す。デジタル信号処理回路１４は、前処理部１０１と、外部メモリ制御部１０２と、再生部１０３と、再生時間設定部１０４と、制御部１０５とを含む。
【００２９】
前処理部１０１は、Ａ／Ｄ変換回路１３からデジタル撮像データに対してＹＣ処理等の前処理を実行する。
【００３０】
外部メモリ制御部１０２は、前処理部１０１によって処理されたデジタル撮像データＤｄを外部メモリ（メモリカード）２に書き込む。また、外部メモリ制御部１０２は、外部メモリ２の中からデジタル撮像データＤｍまたはコンテンツデータＤｃを読み出す。
【００３１】
再生部１０３は、前処理部１０１によって処理されたデジタル撮像データＤｄ、外部メモリ制御部１０２によって外部メモリ２から読み出されたデジタル撮像データＤｍおよびコンテンツデータＤｃを再生する。
【００３２】
再生時間設定部１０４は、外部メモリ２に格納されたコンテンツデータＤｃのデータサイズ（例えば、ファイルサイズ、符号サイズ、再生部１０３によって単位時間当たりに処理される符号サイズ、画角サイズ等）に基づいて、コンテンツデータＤｃを再生するために必要な時間（コンテンツ再生時間Ｔｃ）を設定する。例えば、再生時間設定部１０４は、コンテンツデータＤｃのデータサイズが大きい程、コンテンツ再生時間Ｔｃを長くする。
【００３３】
制御部１０５は、システムコントローラ１０による制御に応答して、外部メモリ制御部１０２および再生部１０３を制御する。また、制御部１０５は、外部メモリ２に格納されたコンテンツデータＤｃが再生時間設定部１０４に供給されるように外部メモリ制御部１０２を制御し、再生時間設定部１０４にコンテンツ再生時間Ｔｃを設定させる。さらに、制御部１０５は、システムコントローラ１０による動作モードの選択（いずれの動作モードが選択されているのか）を監視することで、動作モードの切換を検知する。
【００３４】
次に、図３を参照しつつ、図１に示した撮像装置１による動作について説明する。なお、ここでは、「プレビューモード」から「撮像モード」への切換を例に挙げて説明する。
【００３５】
まず、システムコントローラ１０は、「プレビューモード」を選択している。このとき、撮像回路１１，アナログ信号処理回路１２，Ａ／Ｄ変換回路１３，デジタル信号処理回路１４の前処理部１０１（以下、これらを撮像処理部と称する）は、休止状態である。また、デジタル信号処理回路１４において、外部メモリ制御部１０２は、外部メモリ２の中からデジタル撮像データＤｍ（プレビューモード時において再生すべきデータ）を読み出して再生部１０３に供給し、再生部１０３は、そのデジタル撮像データＤｍを再生して表示回路１５に供給する。これにより、外部メモリ２に格納されたデジタル撮像データＤｍが画像として表示回路１５に表示される。
【００３６】
次に、システムコントローラ１０は、動作モードを「プレビューモード」から「撮像モード」に切り換える。撮像処理部は、システムコントローラ１０による制御に応答して、被写体を撮像するための準備を開始する。また、デジタル信号処理回路１４において、制御部１０５は、動作モードの切換を検知し、外部メモリ制御部１０２および再生部１０３を制御する。外部メモリ制御部１０２は、制御部１０５による制御に応答して、外部メモリ２の中からコンテンツデータＤｃを読み出し、再生部１０３は、制御部１０５による制御に応答して、外部メモリ制御部１０２からのコンテンツデータＤｃを再生する。これにより、コンテンツデータＤｃが画像として表示回路１５に表示される。また、制御部１０５は、動作モードの切換を検知すると経過時間の計時を開始する。
【００３７】
次に、撮像処理部は、撮像のための準備を完了し、「撮像可能状態」になる。すなわち、動作モードの切換が完了する。次に、制御部１０５は、動作モードの切換を検知してからの経過時間がコンテンツ再生時間Ｔｃに到達すると、前処理部１０１からのデジタル撮像データＤｄ（撮像モード時において再生すべきデータ）を再生部１０３に再生させる。これにより、撮像回路１１によって撮像された被写体が画像として表示回路１５に表示される。
【００３８】
このように、動作モードを切り換えてからコンテンツ再生時間Ｔｃが経過するまでの間、コンテンツデータＤｃが画像として表示され、コンテンツ再生時間Ｔｃの経過後に、撮像回路１１によって撮像された被写体が画像として表示される。
【００３９】
なお、「撮像モード」から「プレビューモード」への切換時や撮像装置１の電源投入時にも、上述のような動作が実行される。例えば、電源が投入されると（電源ＯＦＦ状態から電源ＯＮ状態になると）、システムコントローラ１０は、初期モード（例えば、撮像モード）を選択する。これにより、撮像処理部は、撮像のための準備を開始するとともに、デジタル信号処理回路１４の制御部１０５は、上述の処理を実行する。
【００４０】
以上のように、コンテンツデータを再生するために必要な時間を確保することができ、動作モードの切換時にコンテンツデータを適切に再生することができる。例えば、コンテンツ再生時間Ｔｃを、コンテンツデータＤｃに示されたコンテンツをユーザが視認できる程度の長さに設定することができる。これにより、コンテンツの再生によるストレス軽減効果を従来よりも向上させることができる。
【００４１】
なお、コンテンツデータのデータサイズの他に、コンテンツデータの複雑度（例えば、コンテンツデータの高周波成分の割合）に基づいて、コンテンツ再生時間Ｔｃが設定されても良い。例えば、再生時間設定部１０４は、コンテンツデータの複雑度が高い程、コンテンツ再生時間Ｔｃを長くする。また、撮像装置１に供給される電源の残量に基づいて、コンテンツ再生時間Ｔｃが設定されても良い。例えば、再生時間設定部１０４は、電源の残量が多い程、コンテンツ再生時間Ｔｃを長くする。または、消費電力を抑えるために動作周波数を低くする場合、再生時間設定部１０４は、電源の残量が少ない程、コンテンツ再生時間Ｔｃを長くする。さらに、コンテンツデータのヘッダにそのコンテンツデータの再生時間が示されている場合、再生時間設定部１０４は、その再生時間に基づいてコンテンツ再生時間Ｔｃを設定しても良い。
【００４２】
また、外部メモリ２に複数のコンテンツデータが格納されていても良い。この場合、制御部１０５は、動作モードの切換を検知すると、複数のコンテンツデータのうちいずれか１つが再生部１０３に供給されるように外部メモリ制御部１０２を制御する。ここで、再生時間設定部１０４は、複数のコンテンツデータの各々についてそのコンテンツデータを再生するために必要な再生時間を算出し、算出した複数の再生時間のうち最長の再生時間をコンテンツ再生時間Ｔｃとして設定しても良い。このようにすれば、いずれのコンテンツデータも適切に再生することができる。また、算出した複数の再生時間のうち最短の再生時間をコンテンツ再生時間Ｔｃとして設定しても良い。このようにすれば、切換後の動作モードが実行されるまでの時間を短縮することができる。さらに、再生時間設定部１０４は、算出した複数の再生時間に対して重み付け加算を実行し、その演算によって得られた結果をコンテンツ再生時間Ｔｃとして設定しても良い。
【００４３】
なお、コンテンツ再生時間Ｔｃは、動作モードの切換が完了するまでの時間（切換時間）よりも長いことが好ましい。従来では、動作モードの切換が完了するとすぐにコンテンツが消去されていたが、コンテンツ再生時間Ｔｃを切換時間よりも長くすることにより、コンテンツを従来よりも長く再生することができる。これにより、コンテンツ再生によるストレス軽減効果を従来よりも向上させることができる。もし、コンテンツ再生時間Ｔｃが切換時間よりも短くなる可能性がある場合には、次のように制御することが好ましい。
【００４４】
（実施形態２）
この発明の実施形態２による撮像装置１は、図１，図２に示したデジタル信号処理回路１４に代えて、図４に示すデジタル信号処理回路２４を備える。デジタル信号処理回路２４は、図２に示した構成と同様であるが、制御部１０５の処理が異なる。制御部１０５は、撮像装置１の各部（撮像回路１１，アナログ信号処理回路１２，Ａ／Ｄ変換回路１３等）の動作状態を監視する。また、制御部１０５は、動作モードの切換が完了するまでの時間（切換時間）よりもコンテンツ再生時間Ｔｃが短い場合には、コンテンツ再生時間Ｔｃを延長する。デジタル信号処理回路２４のその他の構成は、図２と同様である。
【００４５】
次に、図５を参照しつつ、図４に示したデジタル信号処理回路２４による動作について説明する。なお、デジタル信号処理回路２４による動作は、コンテンツ再生時間Ｔｃの延長処理を除いて、図３の場合と同様である。
【００４６】
システムコントローラ１０によって動作モードが「プレビューモード」から「撮像モード」に切り換えられると、撮像処理部は、撮像のための準備を開始する一方、コンテンツデータＤｃが画像として表示回路１５に表示される。
【００４７】
次に、制御部１０５は、コンテンツ再生時間Ｔｃが経過したことを検知する。このとき、撮像処理部の動作状態が未だ「準備状態」である（すなわち、動作モードの切換が完了していない）ので、制御部１０５は、コンテンツ再生時間Ｔｃを延長する。これにより、コンテンツデータＤｃの再生が延長される。
【００４８】
次に、制御部１０５は、延長後のコンテンツ再生時間が経過したことを検知する。このとき、撮像処理部の動作状態が「撮像可能状態」である（すなわち、動作モードの切換が完了している）ので、制御部１０５は、前処理部１０１からのデジタル撮像データＤｄを再生部１０３に再生させる。これにより、撮像回路１１によって撮像された被写体が画像として表示回路１５に表示される。
【００４９】
以上のように、動作モードの切換が完了するまでの時間（切換時間）よりもコンテンツ再生時間Ｔｃを長くすることにより、コンテンツデータを従来よりも長く再生することができ、ストレス軽減効果を向上させることが可能となる。
【００５０】
（実施形態３）
この発明の実施形態３による撮像装置１は、図１に示した構成に加えて、図６に示すレリーズボタン３１をさらに備え、図１，図２に示したデジタル信号処理回路１４に代えて、図６に示すデジタル信号処理回路３４を備える。
【００５１】
デジタル信号処理回路３４は、図２に示した構成と同様であるが、制御部１０５の処理が異なる。制御部１０５は、撮像装置１の各部の動作状態を監視する。また、ユーザによってレリーズボタン３１が押下されると、レリーズボタン３１からデジタル信号処理回路４４の制御部１０５に再生指示が通知される。制御部１０５は、撮像処理部が「撮像可能状態」であるときに（動作モードの切換が完了した後に）再生指示が通知されると、コンテンツ再生時間Ｔｃが経過する前であっても、前処理部１０１からのデジタル撮像データＤｄを再生部１０３に再生させる（すなわち、コンテンツデータの再生を中断させる）。
【００５２】
次に、図７を参照しつつ、図６に示したデジタル信号処理回路３４による動作について説明する。なお、デジタル信号処理回路３４による動作は、コンテンツデータの再生を中断させる処理を除いて、図３の場合と同様である。
【００５３】
システムコントローラ１０によって動作モードが「プレビューモード」から「撮像モード」に切り換えられると、撮像処理部は、撮像のための準備を開始する一方、コンテンツデータＤｃが画像として表示回路１５に表示される。
【００５４】
次に、撮像処理部は、撮像のための準備を完了し、「撮像可能状態」になる（すなわち、動作モードの切換が完了する）。次に、コンテンツ再生時間Ｔｃが経過する前にレリーズボタン３１が押下され、再生指示が制御部１０５に通知される。このとき、制御部１０５は、動作モードの切換の完了を検知しているので、再生部１０３にコンテンツデータＤｃの再生を中断させ、前処理部１０１からのデジタル撮像データＤｄを再生部１０３に再生させる。これにより、撮像回路１１によって撮像された被写体が画像として表示回路１５に表示される。
【００５５】
以上のように、コンテンツデータが再生されている途中であっても、動作モードの切換が完了していればユーザの指示に応答してコンテンツデータを再生を中断することができるので、不要な待ち時間を無くすことができる。
【００５６】
なお、図６に示したデジタル信号処理回路３４において、コンテンツ再生時間の延長処理（図５）が実行されても良い。
【００５７】
（実施形態４）
この発明の実施形態４による撮像装置１は、図１，図２に示したデジタル信号処理回路１４に代えて、図８に示すデジタル信号処理回路４４を備える。また、外部メモリ２は、デジタル撮像データ，コンテンツデータに加えて、テンプレートデータを格納する。テンプレートデータは、ユーザの嗜好に基づいて設定されるデータであり、例えば、テンプレートデータには、ユーザが特に注目したい画像や音声等が示されている。
【００５８】
デジタル信号処理回路４４は、図２に示した構成に加えて、テンプレート格納部４０１と、テンプレート比較部４０２とを含む。テンプレート格納部４０１は、外部メモリ制御部１０２によって外部メモリ２から読み出されたテンプレートデータＤｔを格納する。テンプレート比較部４０２は、外部メモリ制御部１０２によって外部メモリ２から読み出されたコンテンツデータＤｃとテンプレート格納部４０１に格納されたテンプレートデータＤｔとの類似度を求める。例えば、テンプレート比較部４０２は、コンテンツデータＤｃにおいてテンプレートデータＤｔと一致する領域を検出し、検出された領域が多い程、類似度を高くする。再生時間設定部１０４は、テンプレート比較部４０２によって求められた類似度が高い程、コンテンツ再生時間Ｔｃを長くする。
【００５９】
例えば、テンプレートデータＤｔに顔画像（または、顔の特徴点）が示されている場合、テンプレート比較部４０２は、コンテンツデータＤｃの中から顔画像を検出し、検出された顔画像の数が多い程、類似度を高くする。これにより、集合写真のようにコンテンツデータＤｃに多くの顔画像が示されている場合、コンテンツ再生時間Ｔｃが長くなるので、それぞれの顔画像を認識しやすくなる。
【００６０】
また、テンプレートデータＤｔに知人の顔画像が示されている場合、テンプレート比較部４０２は、コンテンツデータＤｃの中から知人の顔画像を検出すると、類似度を高くする。これにより、コンテンツデータＤｃに知人の顔画像が示されている場合、コンテンツ再生時間Ｔｃが長くなるので、知人の顔をじっくりと探索することが可能となる。
【００６１】
以上のように、ユーザの嗜好に応じたコンテンツが再生される場合に、そのコンテンツの再生時間を長くすることにより、ストレス軽減効果をさらに向上させることができる。なお、テンプレートデータＤｔは、顔画像の他に、動物の画像や物体の画像が示されていても良い。
【００６２】
また、テンプレート格納部４０１，テンプレート比較部４０２は、図４，図６に示されたデジタル信号処理回路２４，３４にも適用可能である。
【００６３】
（その他の実施形態）
〔コンテンツ再生時間の設定〕
以上の各実施形態において、再生時間設定部１０４がコンテンツ再生時間Ｔｃを設定するものとして説明したが、コンテンツ再生時間Ｔｃを外部から設定できるように構成しても良い。
【００６４】
〔コンテンツデータおよびテンプレートデータの種類〕
なお、コンテンツデータＤｃおよびテンプレートデータＤｔは、デジタル撮像データ（静止画像データ）に限らず、動画像データ，音声データ（音楽データ，音データ等），文字データ等であっても良い。例えば、コンテンツデータＤｃが、撮影時の注意事項等を示す文字データであっても良い。
【００６５】
〔再生部の構成例〕
また、図９のように、再生部１０３が、コンテンツデータＤｃを再生するための第１の再生部１０３ａと、デジタル撮像データＤｄ，Ｄｍを再生するための第２の再生部１０３ｂとを含んでいても良い。このように構成することにより、コンテンツデータＤｃとデジタル撮像データＤｄ，Ｄｍとが互いにデータ形式が異なる場合であっても、コンテンツデータＤｃおよびデジタル撮像データＤｄ，Ｄｍの各々を再生することが可能となる。なお、図９に示したデジタル信号処理回路による動作（例えば、「プレビューモード」から「撮像モード」に切り換えるときの動作）は、以下の２通りの動作（図１０，図１１参照）のいずれであっても良い。
【００６６】
（１）図１０のように、制御部１０５は、動作モードの切換を検知すると、第２の再生部１０３ｂに外部メモリ２からのデジタル撮像データＤｍの再生を中断させる。また、制御部１０５は、コンテンツデータＤｃが第１の再生部１０３ａに供給されるように外部メモリ制御部１０２を制御し、コンテンツデータＤｃを第１の再生部１０３ａに再生させる。次に、コンテンツ再生時間Ｔｃが経過すると、制御部１０５は、第１の再生部１０３ａにコンテンツデータＤｃの再生を中断させ、その後、前処理部１０１からのデジタル撮像データＤｄを第２の再生部１０３ｂに再生させる。
【００６７】
このように、コンテンツ再生時間Ｔｃが経過するまでの間、コンテンツデータＤｃが第１の再生部１０３ａによって再生され、コンテンツ再生時間Ｔｃの経過後では、前処理部１０１からのデジタル撮像データＤｄが第２の再生部１０３ｂによって再生される。
【００６８】
（２）図１１のように、制御部１０５は、動作モードの切換を検知すると、第２の再生部１０３ｂに外部メモリ２からのデジタル撮像データＤｍの再生を中断させる。また、制御部１０５は、コンテンツデータＤｃが第１の再生部１０３ａに供給されるように外部メモリ制御部１０２を制御し、コンテンツデータＤｃを第１の再生部１０３ａに再生させる。次に、動作モードの切換が完了すると、制御部１０５は、前処理部１０１からのデジタル撮像データＤｄを第２の再生部１０３ｂに再生させる。一方、コンテンツ再生時間Ｔｃが経過すると、制御部１０５は、第１の再生部１０３ａにコンテンツデータＤｃの再生を中断させる。
【００６９】
このように、コンテンツ再生時間Ｔｃが経過するまでの間、コンテンツデータＤｃが第１の再生部１０３ａによって再生される一方、コンテンツ再生時間Ｔｃが経過する前であっても動作モードの切換が完了すると、前処理部１０１からのデジタル撮像データＤｄが第２の再生部１０３ｂによって再生される。
【００７０】
〔コンテンツデータの格納場所〕
また、図１２のように、デジタル信号処理回路が、内部メモリ１０６をさらに含んでいても良い。内部メモリ１０６は、コンテンツデータＤｃを格納する。この場合、制御部１０５は、コンテンツデータＤｃが再生時間設定部１０４に供給されるように内部メモリ１０６を制御し、再生時間設定部１０４にコンテンツ再生時間Ｔｃを設定させる。また、制御部１０５は、動作モードの切換を検知すると、コンテンツデータＤｃが再生部１０３に供給されるように内部メモリ１０６を制御し、コンテンツデータＤｃを再生部１０３に再生させる。このように、コンテンツデータＤｃが、外部メモリ２ではなく、デジタル信号処理回路１４内に設けられた内部メモリ１０６に格納されていても良い。
【００７１】
〔その他の構成〕
また、撮像装置１が、図１に示した構成に加えて、撮像処理に関する他の回路（色温度測定回路，センサキズ測定回路、合焦度測定回路，被写体明度測定回路，センサダスト除去回路等）をさらに備えていても良い。この場合、「撮像可能状態」になるタイミング（すなわち、動作モードの切換が完了するタイミング）は、上述の各実施形態のように、撮像回路１１，アナログ信号処理回路１２，Ａ／Ｄ変換回路１３による準備が完了した時点であるものとしても良いし、撮像回路１１，アナログ信号処理回路１２，Ａ／Ｄ変換回路１３による準備とこれらの他の回路による処理とが完了した時点であるものとしても良い。
【００７２】
なお、以上の各実施形態では、データ処理回路を撮像装置に適用する例について説明したが、これに限らず、複数の動作モードを選択的に切換可能な装置であれば、各実施形態のデータ処理回路を適用することが可能である。すなわち、再生部１０３によって再生されるデータは、デジタル撮像データ（静止画像データ）に限らず、動画像データ，音声データ（音楽データ，音データ等），文字データ等であっても良い。
【産業上の利用可能性】
【００７３】
この発明は、動作モードの切換時にコンテンツデータを適切に再生することができるので、撮像装置のように複数の動作モードを選択的に切換可能な装置に対して有用である。
【図面の簡単な説明】
【００７４】
【図１】この発明の実施形態１による撮像装置の構成を示すブロック図。
【図２】図１に示したデジタル信号処理回路の内部構成を示すブロック図。
【図３】図２に示したデジタル信号処理回路による動作について説明するための図。
【図４】この発明の実施形態２におけるデジタル信号処理回路の内部構成を示すブロック図。
【図５】図４に示したデジタル信号処理回路による動作について説明するための図。
【図６】この発明の実施形態３におけるデジタル信号処理回路の内部構成を示すブロック図。
【図７】図６に示したデジタル信号処理回路による動作について説明するための図。
【図８】この発明の実施形態４におけるデジタル信号処理回路の内部構成を示すブロック図。
【図９】デジタル信号処理回路の変形例を示すブロック図。
【図１０】図９に示したデジタル信号処理回路による動作について説明するための図。
【図１１】図９に示したデジタル信号処理回路による別の動作について説明するための図。
【図１２】デジタル信号処理回路の別の変形例を示すブロック図。
【符号の説明】
【００７５】
１    撮像装置
２    外部メモリ
１０    システムコントローラ
１１    撮像回路
１２    アナログ信号処理回路
１３    Ａ／Ｄ変換回路
１４，２４，３４，４４    デジタル信号処理回路
１５    表示回路
３１    レリーズボタン
１１ａ    光学レンズ
１１ｂ    ＩＲカットフィルタ
１１ｃ    イメージセンサ
１１ｄ    ドライブ回路
１０１    前処理部
１０２    外部メモリ制御部
１０３    再生部
１０４    再生時間設定部
１０５    制御部
４０１    テンプレート格納部
４０２    テンプレート比較部
１０３ａ    第１の再生部
１０３ｂ    第２の再生部
１０６    内部メモリ
【図１】
2009065330.tif 000003
【図２】
2009065330.tif 000004
【図３】
2009065330.tif 000005
【図４】
2009065330.tif 000006
【図５】
2009065330.tif 000007
【図６】
2009065330.tif 000008
【図７】
2009065330.tif 000009
【図８】
2009065330.tif 000010
【図９】
2009065330.tif 000011
【図１０】
2009065330.tif 000012
【図１１】
2009065330.tif 000013
【図１２】
2009065330.tif 000014